(57)【特許請求の範囲】
【請求項１】
屋内における他の空間と区画されたペット飼育空間を有するペット対応建物であって、
前記ペット飼育空間と屋外空間との間を出入可能な第１出入口と、
前記ペット飼育空間と屋内の他の空間との間を出入可能な第２出入口とを備え、
前記第１出入口及び前記第２出入口のそれぞれに、その両側の空間の通気を遮る通気遮断戸を配置し、
前記ペット飼育空間のごみ等を吸引する集塵装置を備え、
前記集塵装置の吸塵口を、前記第２出入口近傍において前記ペット飼育空間側に前記第２出入口に沿って延びるように設けたことを特徴とするペット対応建物。
【請求項２】
屋内における他の空間と区画されたペット飼育空間を有するペット対応建物であって、
前記ペット飼育空間と屋外空間との間を出入可能な第１出入口と、
前記ペット飼育空間と屋内の他の空間との間を出入可能な第２出入口とを備え、
前記第１出入口及び前記第２出入口のそれぞれに、その両側の空間の通気を遮る通気遮断戸を配置し、
前記ペット飼育空間のごみ等を吸引する集塵装置を備え、
前記集塵装置の吸塵口を前記第２出入口近傍の前記ペット飼育空間側の床面に設け、前記吸塵口は、前記第２出入口に沿った位置に前記第２出入口の横方向長さとほぼ同じ長さに形成されていることを特徴とするペット対応建物。
【請求項３】
前記ペット飼育空間の空気を屋外空間に排出する排気装置を備えることを特徴とする請求項１又は２に記載のペット対応建物。
【請求項４】
前記排気装置の作動を制御する排気制御装置を備え、
前記排気制御装置は、前記第２出入口における通気遮断戸の開閉状態を検出する開閉状態検出センサから検出信号を入力し、前記第２出入口における通気遮断戸の開状態が検出された場合に、前記排気装置を作動させることを特徴とする請求項３に記載のペット対応建物。
【請求項５】
前記集塵装置の作動を制御する集塵制御装置を備え、
前記集塵制御装置は、前記第２出入口における通気遮断戸の開閉状態を検出する開閉状態検出センサから検出信号を入力し、前記第２出入口における通気遮断戸の開状態が検出された場合に、前記集塵装置を作動させることを特徴とする請求項１から請求項４のいずれかに記載のペット対応建物。
【請求項６】
前記通気遮断戸は、少なくとも一部が透過視性材からなり、前記通気遮断戸によって隔てられた空間の一方側から他方側を見ることができることを特徴とする請求項１から請求項５のいずれかに記載のペット対応建物。
【請求項７】
前記第１出入口に、前記第１出入口を通して前記ペット飼育空間に入る光量を調整可能な光量調整戸と、
縦横の少なくとも一方向に空隙を形成するように配置された部材を有し、動物の通過を妨げる通過防止戸と
の少なくとも一方を配置したことを特徴とする請求項１から請求項６のいずれかに記載のペット対応建物。
【請求項８】
前記第２出入口に、前記第２出入口を通して前記ペット飼育空間に入る光量を調整可能な光量調整戸と、
縦横の少なくとも一方向に空隙を形成するように配置された部材を有し、動物の通過を妨げる通過防止戸と
の少なくとも一方を配置したことを特徴とする請求項１から請求項７のいずれかに記載のペット対応建物。
【請求項９】
前記ペット飼育空間に、水栓及び洗場を設けたことを特徴とする請求項１から請求項８のいずれかに記載のペット対応建物。
【請求項１０】
前記ペット飼育空間を階段下空間に設けたことを特徴とする請求項１から請求項９のいずれかに記載のペット対応建物。
【発明の詳細な説明】
【技術分野】
【０００１】
本発明は、建物内にペット飼育のための空間を設けたペット対応建物に関するものである。
【背景技術】
【０００２】
近年は、ペットを家族の一員として扱う傾向が高くなり、ペットを家族と同じ住宅内において飼育する要求が高まりつつある。従来、住宅内にペット飼育のためのスペースを設けたペット対応住宅としては、特許文献１に記載のものが知られている。特許文献１に記載のペット対応住宅は、ねこ等のペットを屋内のみで快適に飼育することができるものである。そして、この住宅は、ペットが屋外に逃げ出すことを防止し、かつ、ペットが屋内で自由に運動、遊び等をすることができ、飼主と楽しく共生することができるものである。
【０００３】
特許文献１に記載のペット対応住宅により、ねこ等のペットを屋内のみで飼育することは可能である。しかし、特許文献１に記載のペット対応住宅は、ペットを屋内の閉じた領域で飼育するためのものである。そのため、このペット対応住宅では大型犬などの屋外飼育ペットとの共生は困難である。また、ペットが自由に建物内を移動することができるものであるため、来客時等にペットを隔離することが困難である。
【特許文献１】特開２００４−２２２６０３号公報
【発明の開示】
【発明が解決しようとする課題】
【０００４】
本発明は、上記問題に鑑みなされたものであり、屋内飼育ペット及び屋外飼育ペットの両方に対応することが可能であるとともに、必要に応じてペットを隔離することが可能なペット対応建物を提供することを主たる目的とするものである。
【課題を解決するための手段】
【０００５】
以下、上記課題を解決するのに有効な手段等につき、必要に応じて作用、効果等を示しつつ説明する。なお以下では、理解を容易にするため、発明の実施の形態において対応する構成例を括弧書き等で適宜示すが、この括弧書き等で示した具体的構成に限定されるものではない。
【０００６】
本発明のペット対応建物は、屋内における他の空間と区画されたペット飼育空間（ペット飼育スペース１０）を有する。そして、前記ペット飼育空間と屋外空間との間を出入可能な第１出入口（屋外出入口２０）と、前記ペット飼育空間と屋内の他の空間との間を出入可能な第２出入口（居室出入口３０）とを備え、前記第１出入口及び前記第２出入口のそれぞれに、その両側の空間の通気を遮る通気遮断戸（ガラス戸２２，３２）を配置することを特徴としている。
【０００７】
このペット対応建物において屋内飼育ペットを飼育する際には、第１出入口の通気遮断戸を閉鎖して使用する。第１出入口の通気遮断戸を閉鎖することで、屋外空間の外気等の影響が屋内空間に及ぶことを抑制することができる。その結果、屋内空間の環境を良好に保ちつつ屋内飼育ペットを飼育することができる。また、ペット飼育空間にペットを入れ、第２出入口の通気遮断戸を閉鎖することで、来客時等にペットを隔離することもできる。
【０００８】
屋外飼育ペットを飼育する場合には、第２出入口の通気遮断戸を閉鎖して使用する。第２出入口の通気遮断戸を閉鎖することで、屋外空間の外気等の影響が屋内空間に及ぶことを抑制することができる。その結果、屋内空間の環境を良好に保つことができる。それとともに、ペット飼育空間を犬小屋等の一般的な屋外飼育ペットの飼育小屋と同様に使用することが可能になる。また、台風等の際には、ペットをペット飼育空間に入れ、第１出入口の通気遮断戸を閉鎖することで、外部の厳しい環境からペットを一時的に保護することもできる。
【０００９】
このように、本発明のペット対応建物により、屋内飼育ペット及び屋外飼育ペットの両方に対応することが可能となる。それとともに、第２出入口の通気遮断戸を閉鎖することで、必要に応じてペットを隔離することも可能となる。
【００１０】
前記ペット飼育空間の空気を屋外空間に排出する排気装置（排気換気扇５０）を備えることが望ましい。排気装置を作動させることにより、ペット飼育空間の空気を屋外空間に排出することができる。これにより、第２出入口の通気遮断戸を開放した際に、ペット飼育空間の臭いが居室空間に流入することを抑制することが可能となる。
【００１１】
前記排気装置の作動を制御する排気制御装置（換気制御装置５２）を備え、前記排気制御装置は、前記第２出入口における通気遮断戸の開閉状態を検出する開閉状態検出センサ（ガラス戸開閉状態検出センサ３４）から検出信号を入力し、前記第２出入口における通気遮断戸の開状態が検出された場合に、前記排気装置を作動させることが望ましい。これによると、第２出入口の通気遮断戸が開状態になると、排気制御装置により排気装置が作動される。これにより、手動で排気装置を作動させなくても、ペット飼育空間の臭いが屋内空間に流入することを抑制することが可能となり、利便性が向上する。
【００１２】
前記ペット飼育空間のごみ等を吸引する集塵装置（集塵機６０）を備えることが望ましい。集塵装置を作動させることにより、ペット飼育空間のごみ等を吸引することができる。これにより、第２出入口の通気遮断戸を開放した際に、ペット飼育空間内のごみ（例えば、ペットの抜け毛等）が屋内空間に流入することを抑制することが可能となる。
【００１３】
前記集塵装置の作動を制御する集塵制御装置（集塵制御装置６５）を備え、前記集塵制御装置は、前記第２出入口における通気遮断戸の開閉状態を検出する開閉状態検出センサから検出信号を入力し、前記第２出入口における通気遮断戸の開状態が検出された場合に、前記集塵装置を作動させることが望ましい。これによると、第２出入口の通気遮断戸が開状態になると、集塵制御装置により集塵装置が作動される。これにより、手動で集塵装置を作動させなくても、ペット飼育空間のごみが屋内空間に流入することを抑制することが可能となり、利便性が向上する。
【００１４】
前記集塵装置の吸塵口（吸塵口６３）を前記第２出入口近傍の前記ペット飼育空間側の床面に設けることが望ましい。これにより、ペット飼育空間から第２出入口を経由して屋内空間に流れてくるごみ等を、第２出入口の手前で吸引することができる。この結果、ペット飼育空間のごみが屋内空間に流入することをより効果的に抑制することが可能となる。
【００１５】
前記通気遮断戸は、少なくとも一部が透過視性材からなり、前記通気遮断戸によって隔てられた空間の一方側から他方側を見ることができることが望ましい。透過視性材としては、例えばガラスを用いるとよい。これにより、通気遮断戸を閉鎖した状態でもペット飼育空間外からペット飼育空間にいるペットの様子を見ることが可能となる。また、ペットからもペット飼育空間外にいる飼主の姿等を見ることができるので、ペットを安心させることができ、ペットのストレスを低減することが可能となる。
【００１６】
前記第１出入口に、前記第１出入口を通して前記ペット飼育空間に入る光量を調整可能な光量調整戸（フラッシュ戸２３）と、縦横の少なくとも一方向に空隙を形成するように配置された部材を有し、動物の通過を妨げる通過防止戸（格子戸２１）との少なくとも一方を配置することが望ましい。これにより、第１出入口に配置された各戸の開閉状態を変化させることで、様々な場面に対応することができる。例えば、第１出入口に光量調整戸が配置されている場合には、光量調整戸の開度を調整することで、昼間においてもペット飼育空間の明るさを調整することが可能になる。また、光量調整戸の開度を調整することで直射日光が差し込むことを抑止することも可能になる。また、第１出入口に通過防止戸が配置されている場合には、通過防止戸のみ閉鎖した状態にすることにより、ペットをペット飼育空間に留めつつ、ペット飼育空間に外気を取り込むことが可能になる。
【００１７】
前記第２出入口に、前記第２出入口を通して前記ペット飼育空間に入る光量を調整可能な光量調整戸（フラッシュ戸３３）と、縦横の少なくとも一方向に空隙を形成するように配置された部材を有し、動物の通過を妨げる通過防止戸（格子戸３１）との少なくとも一方をすることが望ましい。これにより、第２出入口に配置された各戸の開閉状態を変化させることで、様々な場面に対応することができる。例えば、第２出入口に光量調整戸が配置されている場合には、これを閉鎖することで、屋内空間の照明をペット飼育空間に入り込まないようにすることができる。これにより、深夜まで建物内に照明がついている場合にも、ペットの安眠を確保することが可能になる。また、第２出入口に通過防止戸が配置されている場合には、通過防止戸のみ閉鎖した状態にすることにより、屋内に居ながらにして、屋外飼育ペットに餌を与えたり、ペットと触れ合ったりすることが可能になる。
【００１８】
前記ペット飼育空間に、水栓（水栓４２）及び洗場（足洗場４１）を設けることが望ましい。例えば、屋内飼育ペットを屋外に散歩に連れ出した場合には、まず、ペットを第１出入口からペット飼育空間に入れ、洗場でペットの足を洗う。そして、その後、ペットを屋内空間に入れる。これにより、砂、ほこり等が屋内空間へ入ることを抑止することができる。
【００１９】
前記ペット飼育空間を前記建物の階段（階段８０）下空間（スペース８１）に設けることが望ましい。これにより、階段下のデッドスペースをペット飼育空間として有効に活用することができる。
【発明を実施するための最良の形態】
【００２０】
以下、本発明を具体化した一実施の形態を図面に基づいて説明する。図１は本実施形態に係るペット対応住宅の一部を示す平面図である。図２は図１におけるＡ−Ａ断面図である。
【００２１】
図１に示されるように、ペット飼育スペース１０は、住宅内において住宅内の他の空間と区画された状態で、居室に隣接して設けられている。ペット飼育スペース１０には、屋外出入口２０及び居室出入口３０が設けられている。屋外出入口２０は、ペット飼育スペース１０と屋外側空間との間の出入を可能とする出入口であり、居室出入口３０はペット飼育スペース１０と居室側空間との間の出入を可能とする出入口である。屋外出入口２０には、ペット飼育スペース１０側から、格子戸２１、ガラス戸２２及びフラッシュ戸２３がそれぞれ設けられている。また、居室出入口３０には、ペット飼育スペース１０側から、格子戸３１、ガラス戸３２及びフラッシュ戸３３がそれぞれ設けられている。
【００２２】
格子戸２１，３１は、上下方向に延びる複数本の長尺材を、その横方向に間をすかした状態で、枠体の内側に組んだものである。そして、隣接する長尺材の間にはガラス等が入れられずに吹き抜け状に形成されている。長尺材の材質及び長尺材の間隔はペット飼育スペース１０内で飼育する動物の種類、大きさ等によって定められる。具体的には、動物によって格子戸２１，３１が破壊されず、かつ、隣接する長尺材間を動物が通過できないように、長尺材の材質及び長尺材の間隔が定められている。
【００２３】
ガラス戸２２，３２は、それによって隔てられた両空間の通気を遮り気密性を確保するように形成されている。また、ガラス戸２２，３２のガラスは透明なものが使用されている。すなわち、ガラス戸２２，３２により、隙間風、臭い等を遮るとともに、ペット飼育スペース１０内外の一方から他方を見ることができるようになっている。フラッシュ戸２３，３３は、木の骨組みの両側に合板を張り合わせて形成されたものである。フラッシュ戸２３，３３は、それにより視界、光を遮ることができるが、端部からの通気は許容され、気密性は十分には確保されないものである。なお、各戸２１〜２３，３１〜３３には、それぞれ施錠装置（図示せず）が設けられている。
【００２４】
ペット飼育スペース１０には、トイレ４０、足洗場４１及び水栓４２が設けられている。トイレ４０は、ペット飼育スペース１０の一角に設けられ、砂等が敷きつめられている。足洗場４１はトイレ４０を囲むような位置に設けられている。水栓４２は足洗場４１の上方における壁体１１から突出して設けられており、水栓４２から足洗場４１に水を供給可能となっている。さらに、足洗場４１には、水栓４２より供給された水を排水するための排水口（図示せず）が設けられている。足洗場４１とその外側のスペースとの間及び足洗場４１とトイレ４０との間には、足洗場４１からの水の流出を防ぐために、足洗場４１よりも数ｃｍ高い堤部４３，４４がそれぞれ形成されている。
【００２５】
ペット飼育スペース１０と屋外側空間とを区画する壁体１１には、ペット飼育スペース１０の空気を屋外側空間に排出するため排気換気扇５０が設けられている。居室出入口３０近傍の居室空間側の壁面には、排気換気扇５０の運転をオン・オフするとともに、運転強度を調整することが可能なスイッチ５１が設けられている。スイッチ５１は、住宅の所定の場所に設置された換気制御装置５２と電気的に接続されている。そして、スイッチ操作がなされることにより、その操作結果が換気制御装置５２に入力され、その入力結果に基づいて換気制御装置５２が排気換気扇５０の運転を制御するように構成されている。
【００２６】
居室出入口３０のガラス戸３２近傍には、ガラス戸開閉状態検出センサ３４が設けられている。ガラス戸開閉状態検出センサ３４は、換気制御装置５２と電気的に接続されている。そして、ガラス戸開閉状態検出センサ３４は、居室出入口３０のガラス戸３２の開閉状態を検出し、その検出結果を換気制御装置５２に出力するように構成されている。換気制御装置５２は、ガラス戸開閉状態検出センサ３４からガラス戸３２の開状態が入力されると、排気換気扇５０を強運転にて作動させるように構成されている。
【００２７】
図２に示されるように、ペット飼育スペース１０の床下空間１２には、ペット飼育スペース１０の床面上のごみや抜け毛等を吸引する集塵機６０が設置されている。居室出入口３０近傍のペット飼育スペース１０側における床１３には、ペット飼育スペース１０と床下空間１２とを連通させる連通孔６１が形成されている。連通孔６１の床下空間側端部は、床下空間１２に配設されたダクト６２の一端と接続されている。そして、このダクト６２の他端は集塵機６０と接続されている。連通孔６１のペット飼育スペース１０側端部は吸塵口６３を形成している。この吸塵口６３は、ペット飼育スペース１０の床面上の居室出入口３０に沿った位置に、居室出入口３０の横方向長さとほぼ同じ長さに形成されている。ペット飼育スペース１０の床面上のごみは、吸塵口６３から、連通孔６１、ダクト６２を介して集塵機６０に吸引される。なお、吸塵口６３の幅は、ペットの足が吸塵口６３に入り込まないような幅（例えば１〜２ｃｍ程度）に設定されている。また、ペットの足が吸塵口６３に入り込まないように、吸塵口６３の上に網等を設置してもよい。
【００２８】
居室出入口３０近傍の居室空間側の壁面には、集塵機６０の運転をオン・オフするとともに、運転強度を調整することが可能なスイッチ６４が設けられている。スイッチ６４は、住宅の所定の場所に設置された集塵制御装置６５と電気的に接続されている。そして、スイッチ操作がなされることにより、その操作結果が集塵制御装置６５に入力され、その入力結果に基づいて集塵制御装置６５が集塵機６０の運転を制御するように構成されている。ガラス戸開閉状態検出センサ３４は、集塵制御装置６５とも電気的に接続されており、ガラス戸３２の開閉状態の検出結果を集塵制御装置６５に出力するように構成されている。そして、集塵制御装置６５は、ガラス戸開閉状態検出センサ３４からガラス戸３２の開状態が入力されると、集塵機６０を強運転にて作動させるように構成されている。
【００２９】
屋外出入口２０横の屋外側壁面および居室出入口３０横の居室側壁面には、それぞれリード固定部７０，７１が設けられている。リード固定部７０，７１の端部は、ペットのリード（引き紐）を通すためにリング状に形成されている。また、居室スペース内におけるペット飼育スペース１０に隣接した場所には、ペットの餌等を保管するための餌類置場７２が設けられている。
【００３０】
以上詳述したペット飼育スペース１０の使用方法及び効果について、屋内犬及び屋外犬を飼う場合を例にとって説明する。
【００３１】
（１）屋内犬の場合
屋内犬を飼う場合には、通常、屋外出入口２０のガラス戸３２を閉鎖、施錠し、居室出入口３０の各戸３１〜３３を開放して使用する。このように使用することにより、犬はペット飼育スペース１０と居室とを自由に出入することができる。また、屋外出入口２０のガラス戸２２を閉鎖することにより、外気が居室内へ流入することを防ぐことができる。
【００３２】
来客時等、犬を居室に入れたくない場合には、犬をペット飼育スペース１０内に入れ、いずれかの戸３１〜３３を閉鎖する。これにより、犬を居室から隔離することができる。これにより、動物を好まない来客があった場合にも対応することができる。
【００３３】
犬を屋外に散歩に連れ出した場合には、玄関から犬を入れずに、ペット飼育スペース１０を経由させて居室側空間に入れる。この際、まず、ペット飼育スペース１０の屋外出入口２０の各戸２１〜２３を開け、そこから一旦、ペット飼育スペース１０に犬を入れる。そして、ペット飼育スペース１０内でほこりを払う若しくは足洗場４１で足を洗う等した後に、居室に入れる。これにより、砂、ほこり等が居室内へ入ることを抑止することができる。
【００３４】
犬が居室内に居るときには、通常、居室出入口３０の各戸３１〜３３は開放された状態となっている。このため、ペット飼育スペース１０に設けられているトイレ４０等からの臭いや、ペット飼育スペース１０のほこりや抜け毛等のごみが居室側空間へ流れてくることが問題となる。しかし、本実施形態では、ペット飼育スペース１０の壁体に１１にペット飼育スペース１０の空気を屋外側空間に排出する排気換気扇５０が設けられている。排気換気扇５０を作動させると、ペット飼育スペース１０の気圧が居室の気圧よりも低くなる。そのため、居室、ペット飼育スペース１０、排気換気扇５０、屋外側空間へと空気の流れが生じる。この結果、排気換気扇５０を作動させることにより、ペット飼育スペース１０で発生する臭いが居室側空間に流れてくることを抑制することができる。
【００３５】
また、本実施形態では、ペット飼育スペース１０の床面上のごみや抜け毛等を吸引する集塵機６０が設けられている。そして、この集塵機６０の吸塵口６３は、居室出入口３０近傍のペット飼育スペース１０側における床に形成されている。そのため、ペット飼育スペース１０から居室側空間に流れてくるほこりや抜け毛を、居室出入口３０の手前において集塵機６０で吸い込むことができる。これにより、ペット飼育スペース１０内のほこりや抜け毛等が居室に入ってくることを抑制することができる。
【００３６】
さらに、本実施形態では、居室出入口３０のガラス戸３２には、ガラス戸開閉状態検出センサ３４が設けられている。そして、このガラス戸開閉状態検出センサ３４によりガラス戸３２の開状態が検出された場合には、排気換気扇５０及び集塵機６０が自動的に強運転されるように構成されている。これにより、住人が排気換気扇５０及び集塵機６０のスイッチ５１，６４を操作しなくても、ペット飼育スペース１０内の臭いやごみが居室に流れてくることを抑制することができ、利便性が向上する。
【００３７】
屋外出入口２０及び居室出入口３０には、格子戸２１，３１、ガラス戸２２，３２及びフラッシュ戸２３，３３がそれぞれ設けられている。これにより、各戸２１〜２３，３１〜３３の開閉状態を変化させることで、様々な場面に対応できる。例えば、住人が深夜まで起きている場合、居室側空間の照明がペット飼育スペース１０に入ると、ペットの睡眠が妨げられる。したがって、そのような場合には、居室出入口３０のフラッシュ戸３３を閉鎖することで光を遮り、ペットの安眠を確保することができる。
【００３８】
また、居室出入口３０のガラス戸３２及びフラッシュ戸３３を開放した状態で、格子戸３１のみ閉鎖すれば、犬をペット飼育スペース１０に留めた状態で、犬に餌を与えたり、犬と触れ合うことも可能となる。また、ペット飼育スペース１０内に外気を取り込みたい場合には、屋外出入口２０の格子戸２１を閉鎖し、ガラス戸２２及びフラッシュ戸２３を開放することで、外気の取り込みが可能となる。さらに、屋外出入口２０のフラッシュ戸２３を閉鎖すれば、昼間においてペット飼育スペース１０の明るさを調節したり、直射日光が差し込むことを抑制することもできる。
【００３９】
（２）屋外犬の場合
屋外犬を飼う場合には、屋外出入口２０の各戸２１〜２３を開放し、居室出入口３０の各戸３１〜３３を閉鎖、施錠して使用する。このように使用することにより、一般的な屋外犬の犬小屋と同様に使用することができる。また、居室出入口３０のガラス戸３２を閉鎖して使用することで、居室への外気の流入を防ぐこともできる。さらに、居室出入口３０の各戸３１〜３３により、ペット飼育スペース１０と居室とが仕切られているので、犬は居室から隔離されている。そのため、ペットが居室に入らないようにすることもできる。
【００４０】
台風時や極寒時等には、屋外出入口２０のガラス戸３２やフラッシュ戸３３を閉鎖して使用することができる。これにより、外部の厳しい環境から犬を一時的に保護することができる。また、屋外出入口２０のフラッシュ戸２３の開度を調整すれば、昼間においてペット飼育スペース１０の明るさを調節したり、直射日光が差し込むことを抑制することもできる。
【００４１】
居室出入口３０のフラッシュ戸３３を開放すれば、居室内からペット飼育スペース１０内を見ることができる。これにより、居室に居ながらにして犬の様子を見ることが可能となる。それとともに、ペットからも居室に居る飼主の姿を見ることができるので、ペットを安心させることができ、ペットのストレスを低減することが可能となる。
【００４２】
居室出入口３０のガラス戸３２及びフラッシュ戸３３を開放すれば、屋外に出なくても犬に餌を与えたり、犬と触れ合うことが可能になる。なお、ガラス戸３２を開くと、排気換気扇５０及び集塵機６０が自動的に強運転での作動を開始する。これにより、ガラス戸３２を開放しても、ペット飼育スペース１０の臭いや抜け毛等が居室に流入することを抑制できる。
【００４３】
なお、本発明は上記実施の形態の記載内容に限定されず、例えば次のように実施しても良い。
【００４４】
ペット飼育スペース１０を、図３に示されるように、階段８０下のスペース８１等に設けてもよい。これにより、階段８０の下のデッドスペースをペット飼育スペース１０として有効に活用することができ、住宅内の居室スペースの減少を極力抑えることが可能となる。また、図４に示されるように、居室内に設置された収納カウンター８２の一角のスペース８３に設けてもよい。これにより、より身近な位置でペットと触れ合うことが可能となる。さらにペット飼育スペース１０は、住宅内のその他の様々なスペースに設けることも可能である。
【００４５】
上記実施形態では、排気換気扇５０及び集塵機６０は運転強度の調整が可能であった。しかし、運転強度の調整機能を設けず、単にオンオフ切替のみが可能なものであってもよい。
【００４６】
上記実施形態では、屋外出入口２０及び居室出入口３０に、格子戸２１，３１、ガラス戸２２，３２及びフラッシュ戸２３，３３の３枚の戸をそれぞれを設けた。しかし、両出入口２０，３０のそれぞれに３枚の戸２１〜２３，３１〜３３を設けることは本発明に必須のものではない。すなわち、屋外飼育ペット及び屋内飼育ペットの両方を飼育可能としつつも、快適な居住空間を確保するためには、少なくとも屋外側空間と居室側空間との通気を遮断することができる戸を設置すればよい。これにより、屋外飼育ペット及び屋内飼育ペットのいずれを飼育する場合であっても、屋外側空間の影響による居室側空間の環境変化（例えば外気流入による温度変化等）を抑制することができる。
【００４７】
上記実施形態では、通気を遮断する戸としてガラス戸２２，３２を使用した。しかし、ガラスではなく合成樹脂板を用いた戸を使用することもできる。また、少なくとも一部に透明色等の透過視性の合成樹脂板を使用すれば、ペット飼育空間外からペット飼育空間内の様子を見ることができるという点に関しても上記実施形態と同様の効果を奏する。
【００４８】
上記実施形態では、格子戸２１，３１は、上下方向に延びる複数本の長尺材をその横方向に間をすかして組むことで形成した。しかし、格子戸２１，３１の形態はこれに限るものではなく、横方向に延びる複数本の長尺材をその上下方向に間をすかして組むことで形成してもよい。また、上下方向及び横方向に延びる複数本の長尺材をその上下方向及び横方向に間をすかして組むことで形成してもよい。さらには、斜め方向に延びる長尺材で組んだり、網を張った構成としてもよい。すなわち、本発明に用いられる格子戸は、ペットの通過を妨げる大きさの隙間が形成されたものであればよい。
【００４９】
上記実施形態では、ペット飼育スペース１０と屋外側空間とを区画する壁体１１に排気換気扇５０を設け、ペット飼育スペース１０内の空気を屋外側空間に排出することにより、居室内への臭いの流入を抑制した。しかし、居室側空間と屋外側空間とを区画する壁体に吸気換気扇を設ける構成としてもよい。これによると、吸気換気扇により、居室内に外気が供給される。そのため、居室内の気圧がペット飼育スペース１０内の気圧よりも高くなる。その結果、居室からペット飼育スペース１０への空気の流れが生じ、ペット飼育スペース１０から居室内への臭いの流入を抑制することができる。
【図面の簡単な説明】
【００５０】
【図１】本実施形態に係るペット対応住宅の一部を示す平面図。
【図２】図１におけるＡ−Ａ断面図。
【図３】ペット飼育スペースの設置位置の別の例を示す図。
【図４】ペット飼育スペースの設置位置のさらに別の例を示す図。
【符号の説明】
【００５１】
１０…ペット飼育スペース、１１…壁体、２０…屋外出入口、３０…居室出入口、２１，３１…格子戸、２２，３２…ガラス戸、２３，３３…フラッシュ戸、３４…ガラス戸開閉状態検出センサ、４０…トイレ、４１…水栓、４２…足洗場、４３，４４…堤部、５０…排気換気扇、５１…スイッチ、５２…排気制御装置、７０，７１…リード固定部、７２…餌類置場。
【図１】
0004799250.tif 000002
【図２】
0004799250.tif 000003
【図３】
0004799250.tif 000004
【図４】
0004799250.tif 000005